(57)【要約】【課題】簡単な構成で、反射表示および透過表示の２つの表示方法においてともにフリッカ等の発生を最小限に抑えることができる液晶表示装置を提供する。【解決手段】本液晶表示装置１は、透過表示のための第１の対向電極電圧Ｖａを生成し出力する第１の対向電極電圧発生部６と、反射表示のための第２の対向電極電圧Ｖｂを生成し出力する第２の対向電極電圧発生部７と、透過表示のためのバックライトが点灯状態か非点灯状態かを検出するバックライトＯＮ／ＯＦＦ検知部３と、バックライトの点灯状態に応じて上記電圧Ｖａ，Ｖｂのいずれかを出力する対向電極電圧選択部４と、マトリクス状に配置された液晶素子を含む液晶パネル２と、これらの液晶素子を駆動する液晶パネル駆動部５とを備えており、上記電圧Ｖａ，Ｖｂが対応する表示方法に最適な値に設定されることにより、フリッカ等の発生を最小限に抑えることができる対向電極電圧で表示を行うことができる。【選択図】図１
2005164704.tif 000002
【特許請求の範囲】
【請求項１】
印加される電圧に応じて表示を行うための液晶を挟むように設けられた２つの電極のうちの一方の電極である対向電極を駆動する対向電極駆動手段と、複数配されており、他方の電極である画素電極に印加すべき電圧を与える能動素子とを備え、所定の第１および第２の表示態様を有する液晶表示装置であって、
前記第１の表示態様に対応して前記対向電極に印加すべき第１の電圧を生成する第１の電圧発生手段と、
前記第２の表示態様に対応して前記対向電極に印加すべき第２の電圧を生成する第２の電圧発生手段と、
前記２つの表示態様のうち使用される表示態様に応じて前記第１または第２の電圧のいずれかを選択する選択手段と
を備え、
前記対向電極駆動手段は、前記選択手段により選択された電圧を前記対向電極に印加することを特徴とする、液晶表示装置。
【請求項２】
前記液晶の表示面の反対側から前記液晶を通して光を放つバックライト手段をさらに備え、
前記選択手段は、前記バックライト手段からの光による透過表示のための表示態様である透過モードと、前記液晶の表示面を照らす当該液晶表示装置外部からの光による反射表示のための表示態様である反射モードとの２つの表示態様のうち、使用される表示態様に応じて前記第１または第２の電圧のいずれかを選択することを特徴とする、請求項１に記載の液晶表示装置。
【請求項３】
前記選択手段は、
前記バックライト手段が光を放つ状態であるか否かを検出する検知手段と、
前記検知手段による検出結果に基づき、前記バックライト手段が光を放つときには前記第１の電圧を選択し、前記バックライト手段が光を放たないときには前記第２の電圧を選択する対向電極電圧選択手段と
を含むことを特徴とする、請求項２に記載の液晶表示装置。
【請求項４】
前記使用される表示態様を前記２つの表示態様のいずれかに切り替える表示態様切り替え手段をさらに備え、
前記表示態様切り替え手段は、前記検知手段による検出結果に基づき、前記バックライト手段が光を放つときには前記第１の表示態様に切り替え、前記バックライト手段が光を放たないときには前記第２の表示態様に切り替えることを特徴とする、請求項３に記載の液晶表示装置。
【請求項５】
前記選択手段は、
前記液晶の表示面を照らす当該液晶表示装置外部からの光の照度を検出する外光照度検出手段と、
前記外光照度検出手段により検出された照度に基づき、前記照度が所定値未満のときには前記第１の電圧を選択し、前記照度が所定値以上のときには前記第２の電圧を選択する対向電極電圧選択手段と
を含むことを特徴とする、請求項１または請求項２に記載の液晶表示装置。
【請求項６】
前記使用される表示態様を前記２つの表示態様のいずれかに切り替える表示態様切り替え手段をさらに備え、
前記表示態様切り替え手段は、前記外光照度検出手段により検出された照度に基づき、前記照度が所定値未満のときには前記第１の表示態様に切り替え、前記照度が所定値以上のときには前記第２の表示態様に切り替えることを特徴とする、請求項５に記載の液晶表示装置。
【請求項７】
前記選択手段は、
当該液晶表示装置外部から与えられる信号であって前記表示態様を示す制御信号を受け取る受信手段と、
前記受信手段により受け取られた前記制御信号により示される表示態様に応じて前記第１または第２の電圧のいずれかを選択し、選択された電圧を前記対向電極の駆動電圧として前記対向電極駆動手段に与える対向電極電圧選択手段と
を含むことを特徴とする、請求項１または請求項２に記載の液晶表示装置。
【請求項８】
前記使用される表示態様を前記２つの表示態様のいずれかに切り替える表示態様切り替え手段をさらに備え、
前記表示態様切り替え手段は、前記受信手段により受け取られた前記制御信号により示される表示態様に応じて前記第１または第２の表示態様に切り替えることを特徴とする、請求項７に記載の液晶表示装置。
【請求項９】
前記第１および第２の表示態様のほか、さらに所定の第３の表示態様を有しており、
前記第３の表示態様に対応して前記対向電極に印加すべき第３の電圧を生成する第３の電圧発生手段をさらに備え、
前記選択手段は、前記３つの表示態様のうち使用される表示態様に応じて前記第１から第３までの電圧のいずれか１つを選択することを特徴とする、請求項１に記載の液晶表示装置。
【請求項１０】
印加される電圧に応じて表示を行うための液晶を挟むように設けられた２つの電極のうちの一方の電極である対向電極を駆動する対向電極駆動ステップと、複数配されており、他方の電極である画素電極に印加すべき電圧を与える能動素子による画素電極駆動ステップとを含む液晶表示方法であって、
前記対向電極駆動ステップは、所定の第１の表示態様に対応して前記対向電極に印加すべき第１の電圧または所定の第２の表示態様に対応して前記対向電極に印加すべき第２の電圧のいずれかを、前記２つの表示態様のうち使用される表示態様に応じて前記対向電極に印加することを特徴とする、液晶表示方法。
【発明の詳細な説明】
【技術分野】
【０００１】
本発明は、液晶を使用した表示装置に関し、より詳細には２つの表示態様、例えば反射表示と透過表示とを行うことができる液晶表示装置に関する。
【背景技術】
【０００２】
従来より、アモルファスシリコンなどの薄膜トランジスタ（ＴＦＴ：Ｔｈｉｎ  Ｆｉｌｍ  Ｔｒａｎｓｉｓｔｏｒ）を駆動素子として使用したアクティブマトリックス型の液晶表示装置では、その構造上ＴＦＴの寄生容量による電圧降下が発生することが知られている。また一般的に、液晶の劣化を防止するため、液晶表示装置では映像信号に基づくデータ信号の極性を垂直同期や水平同期に合わせて反転させる交流駆動が行われる。この交流駆動方式では、上記ＴＦＴの寄生容量による電圧降下の影響により直流成分が重畳されて液晶素子へ印加される。このため、垂直同期に合わせて交流駆動が行われるときにはフリッカが発生し、水平同期に合わせて交流駆動が行われるときには画面に縞模様が発生する等の問題が生じる。
【０００３】
そこで従来より、このようなＴＦＴの寄生容量による電圧降下の影響を最小限に抑えるため、所定の可変抵抗器等の抵抗値を適宜に調整することにより、対向電極（共通電極）の電圧値を補正することが行われる。
【０００４】
ここで、この対向電極の電圧値を補正する方法として、反射表示と透過表示とを行うことができる液晶表示装置では、これらの表示に対応する２つの表示態様（表示方法）のうち主となる表示態様に適合する電圧値に合わせるように補正を行う方法か、もしくは２つの表示態様に適合するそれぞれの電圧値の平均値（中間値）に合わせるように補正を行う方法かのいずれかにより上記補正が行われる。
【０００５】
また、上記２つの表示態様を考慮することなく、液晶素子の輝度値に基づいてフリッカ等を最小限に抑えるように対向電極の電圧値を補正する液晶表示装置がある（特許文献１および２を参照）。この装置では、輝度の時間的変化であるフリッカを直接測定することにより適切な電圧値が設定されるため、表示態様にかかわらずフリッカ等が最小限に抑えられる。
【特許文献１】特開平３−２９３６３０号公報
【特許文献２】実開平４−１３３２２３号公報
【発明の開示】
【発明が解決しようとする課題】
【０００６】
しかし、上記のような液晶素子の輝度値に基づいて電圧値を補正する液晶表示装置では、自動的に補正を行うための構成が複雑となる。また、反射表示および透過表示のための表示態様のうちの主となる表示態様に適合する電圧値またはそれらの表示態様に適合する電圧の平均値に合わせるように補正を行う方法では、２つの表示態様においてともにフリッカ等の発生を最小限に抑えることはできない。
【０００７】
そこで、本発明では、簡単な構成で、例えば反射表示および透過表示のための２つの表示態様においてともにフリッカ等の発生を最小限に抑えることができる液晶表示装置を提供することを目的とする。
【課題を解決するための手段】
【０００８】
第１の発明は、印加される電圧に応じて表示を行うための液晶を挟むように設けられた２つの電極のうちの一方の電極である対向電極を駆動する対向電極駆動手段と、複数配されており、他方の電極である画素電極に印加すべき電圧を与える能動素子とを備え、所定の第１および第２の表示態様を有する液晶表示装置であって、
前記第１の表示態様に対応して前記対向電極に印加すべき第１の電圧を生成する第１の電圧発生手段と、
前記第２の表示態様に対応して前記対向電極に印加すべき第２の電圧を生成する第２の電圧発生手段と、
前記２つの表示態様のうち使用される表示態様に応じて前記第１または第２の電圧のいずれかを選択する選択手段と
を備え、
前記対向電極駆動手段は、前記選択手段により選択された電圧を前記対向電極に印加することを特徴とする。
【０００９】
第２の発明は、第１の発明において、
前記液晶の表示面の反対側から前記液晶を通して光を放つバックライト手段をさらに備え、
前記選択手段は、前記バックライト手段からの光による透過表示のための表示態様である透過モードと、前記液晶の表示面を照らす当該液晶表示装置外部からの光による反射表示のための表示態様である反射モードとの２つの表示態様のうち、使用される表示態様に応じて前記第１または第２の電圧のいずれかを選択することを特徴とする。
【００１０】
第３の発明は、第２の発明において、
前記選択手段は、
前記バックライト手段が光を放つ状態であるか否かを検出する検知手段と、
前記検知手段による検出結果に基づき、前記バックライト手段が光を放つときには前記第１の電圧を選択し、前記バックライト手段が光を放たないときには前記第２の電圧を選択する対向電極電圧選択手段と
を含むことを特徴とする。
【００１１】
第４の発明は、第３の発明において、
前記使用される表示態様を前記２つの表示態様のいずれかに切り替える表示態様切り替え手段をさらに備え、
前記表示態様切り替え手段は、前記検知手段による検出結果に基づき、前記バックライト手段が光を放つときには前記第１の表示態様に切り替え、前記バックライト手段が光を放たないときには前記第２の表示態様に切り替えることを特徴とする。
【００１２】
第５の発明は、第１または第２の発明において、
前記選択手段は、
前記液晶の表示面を照らす当該液晶表示装置外部からの光の照度を検出する外光照度検出手段と、
前記外光照度検出手段により検出された照度に基づき、前記照度が所定値未満のときには前記第１の電圧を選択し、前記照度が所定値以上のときには前記第２の電圧を選択する対向電極電圧選択手段と
を含むことを特徴とする。
【００１３】
第６の発明は、第５の発明において、
前記使用される表示態様を前記２つの表示態様のいずれかに切り替える表示態様切り替え手段をさらに備え、
前記表示態様切り替え手段は、前記外光照度検出手段により検出された照度に基づき、前記照度が所定値未満のときには前記第１の表示態様に切り替え、前記照度が所定値以上のときには前記第２の表示態様に切り替えることを特徴とする。
【００１４】
第７の発明は、第１または第２の発明において、
前記選択手段は、
当該液晶表示装置外部から与えられる信号であって前記表示態様を示す制御信号を受け取る受信手段と、
前記受信手段により受け取られた前記制御信号により示される表示態様に応じて前記第１または第２の電圧のいずれかを選択し、選択された電圧を前記対向電極の駆動電圧として前記対向電極駆動手段に与える対向電極電圧選択手段と
を含むことを特徴とする。
【００１５】
第８の発明は、第７の発明において、
前記使用される表示態様を前記２つの表示態様のいずれかに切り替える表示態様切り替え手段をさらに備え、
前記表示態様切り替え手段は、前記受信手段により受け取られた前記制御信号により示される表示態様に応じて前記第１または第２の表示態様に切り替えることを特徴とする。
【００１６】
第９の発明は、第１の発明において、
前記第１および第２の表示態様のほか、さらに所定の第３の表示態様を有しており、
前記第３の表示態様に対応して前記対向電極に印加すべき第３の電圧を生成する第３の電圧発生手段をさらに備え、
前記選択手段は、前記３つの表示態様のうち使用される表示態様に応じて前記第１から第３までの電圧のいずれか１つを選択することを特徴とする。
【００１７】
第１０の発明は、印加される電圧に応じて表示を行うための液晶を挟むように設けられた２つの電極のうちの一方の電極である対向電極を駆動する対向電極駆動ステップと、複数配されており、他方の電極である画素電極に印加すべき電圧を与える能動素子による画素電極駆動ステップとを含む液晶表示方法であって、
前記対向電極駆動ステップは、所定の第１の表示態様に対応して前記対向電極に印加すべき第１の電圧または所定の第２の表示態様に対応して前記対向電極に印加すべき第２の電圧のいずれかを、前記２つの表示態様のうち使用される表示態様に応じて前記対向電極に印加することを特徴とする。
【発明の効果】
【００１８】
上記第１の発明によれば、使用される表示態様に応じて選択手段により選択された適切な電圧値を有する対向電極電圧に基づき対向電極が駆動される。このことにより、簡単な構成で、２つの表示態様においてともに適切な表示、例えばフリッカ等の発生を最小限に抑えた表示を行うことができる。
【００１９】
上記第２の発明によれば、透過モードおよび反射モードのうち使用される表示態様に応じて選択手段により選択された適切な対向電極電圧に基づき対向電極が駆動される。このことにより、簡単な構成で、２つの表示態様においてともに適切な表示、例えばフリッカ等の発生を最小限に抑えた表示を行うことができる。
【００２０】
上記第３の発明によれば、検知手段によりバックライト手段の点灯状態が検知され、その検出結果に基づき対向電極電圧選択手段により選択された透過表示または反射表示に対応する対向電極電圧に基づき対向電極が駆動される。このことにより、簡単な構成で、２つの表示態様においてともに適切な表示、例えばフリッカ等の発生を最小限に抑えた表示を行うことができる。
【００２１】
上記第４の発明によれば、検知手段の検出結果に基づき使用すべき表示態様が切り替えられるので、簡単な構成で、２つの表示態様のうち現在の表示状態に適した表示態様に自動的に切り替えられるとともに、２つの表示態様においてともに適切な表示を行うことができる。
【００２２】
上記第５の発明によれば、外光照度検出手段により外光照度が検出され、その検出結果に基づき対向電極電圧選択手段により選択された適切な値を有する対向電極電圧に基づき対向電極が駆動される。このことにより、簡単な構成で、２つの表示態様においてともに適切な表示、例えばフリッカ等の発生を最小限に抑えた表示を行うことができる。
【００２３】
上記第６の発明によれば、外光照度検出手段に基づき使用すべき表示態様（およびバックライト手段の点灯状態）が切り替えられるので、簡単な構成で、２つの表示態様のうち現在の表示状態に適した表示態様に自動的に切り替えられるとともに、２つの表示態様においてともに適切な表示を行うことができる。
【００２４】
上記第７の発明によれば、受信手段により当該液晶表示装置外部から与えられる制御信号が受信され、この制御信号に基づき対向電極電圧選択手段により選択された適切な値を有する対向電極電圧により対向電極が駆動される。このことにより、簡単な構成で、２つの表示態様においてともに適切な表示、例えばフリッカ等の発生を最小限に抑えた表示を行うことができる。
【００２５】
上記第８の発明によれば、受信手段により受信された制御信号に基づき使用すべき表示態様（およびバックライト手段の点灯状態）が切り替えられるので、簡単な構成で装置外部からの制御信号に応じて自動的に２つの表示態様においてともに適切な表示を行うことができる。
【００２６】
上記第９の発明によれば、使用される表示態様に応じて選択手段により選択された適切な電圧値を有する対向電極電圧に基づき対向電極が駆動される。このことにより、簡単な構成で、３つの表示態様においてともに適切な表示、例えばフリッカ等の発生を最小限に抑えた表示を行うことができる。
【００２７】
上記第１０の発明によれば、使用される表示態様に応じて適切な電圧値を有する対向電極電圧に基づき対向電極が駆動される。このことにより、簡単な動作で、２つの表示態様においてともに適切な表示、例えばフリッカ等の発生を最小限に抑えた表示を行うことができる。
【発明を実施するための最良の形態】
【００２８】
以下、添付図面を参照しつつ本発明の一実施形態について説明する。
＜１．構成＞
本発明の一実施形態に係る表示装置の構成につき、図１および図２を参照して説明する。本表示装置は、アクティブマトリクス型の液晶表示装置（ＬＣＤ：Ｌｉｑｕｉｄ  Ｃｒｙｓｔａｌ  Ｄｉｓｐｌａｙ）であって、例えば白色の発光ダイオード（ＬＥＤ：Ｌｉｇｈｔ Ｅｍｉｔｔｉｎｇ Ｄｉｏｄｅ）や冷陰極蛍光管（ＣＣＦＴ：Ｃｏｌｄ  Ｃａｔｈｏｄｅ  Ｆｌｕｏｒｅｓｃｅｎｔ  Ｔｕｂｅ）などの光源および所定の導光板などを含む面状照明装置であるバックライトを備えており、反射表示および透過表示のための２つの表示態様（表示方法）で表示することができる液晶表示装置である。なおここで、透過表示とは、バックライトからの透過光により液晶表示が行われている状態を指し、反射表示とは、装置外部からの光（以下「外光」という）により液晶表示が行われている状態を指す。
【００２９】
本液晶表示装置は、具体的には屋内では透過表示が使用され、屋外では反射表示が使用されるモバイル用途の液晶表示装置であり、例えば携帯電話、情報形態端末、ノートパソコン、またはポータブル機器などに使用されるのが好適である。
【００３０】
ここで、本液晶表示装置は、上記バックライトが点灯しないときに反射表示のための表示態様（以下「反射モード」という）で表示を行い、バックライトが点灯するときに透過表示のための表示態様（以下「透過モード」という）で表示を行うものとする。また、この表示態様（およびバックライトの点灯および消灯）は、ここでは図示されないスイッチを利用者が操作することにより切り替えられるものとする。
【００３１】
なお、上記バックライトが点灯されない場合には反射表示が行われ、上記バックライトが点灯される場合には主として透過表示が行われるが、外光の方がバックライトからの光に比べて非常に強いときには、透過モードであるにもかかわらず主として反射表示が行われる場合もありうる。この場合、通常は利用者により表示態様が反射モードに切り替えられる。
【００３２】
図１は、本実施形態に係る液晶表示装置の構成を示すブロック図である。また、図２は、本実施形態に係る液晶表示装置の分解斜視図である。この液晶表示装置１は、所定の第１の対向電極電圧Ｖａを生成し出力する第１の対向電極電圧発生部６と、所定の第２の対向電極電圧Ｖｂを生成し出力する第２の対向電極電圧発生部７と、透過表示のためのバックライトが点灯状態であるか非点灯状態であるかを検出するバックライトＯＮ／ＯＦＦ検知部３と、第１の対向電極電圧Ｖａまたは第２の対向電極電圧Ｖｂのいずれかを選択し出力する対向電極電圧選択部４と、液晶素子を含む液晶パネル２と、これらの液晶素子を駆動する液晶パネル駆動部５とを備える。なお、上記バックライトは、液晶パネル２の表示面と反対側に配設されるものとする。このバックライトからの光は液晶パネル２内の液晶を介して当該液晶の表示面から放たれる。
【００３３】
液晶パネル２は、薄膜トランジスタ（ＴＦＴ）を含むＴＦＴ基板と、対向電極（共通電極）を含む基板との間に液晶が挟まれるように配置される構造を有している。このＴＦＴ基板には、互いに平行な複数のソースバスラインと、これらに直交する方向に延びるように互いに平行な複数のゲートバスラインとが配設されており、ソースバスラインとゲートバスラインとの各交点近傍には、スイッチング素子として機能するＴＦＴが設けられている。このＴＦＴのソース端子にはソースバスラインより所定のソース電圧を有するソース駆動信号が供給され、そのゲート端子にはゲートバスラインより所定のゲート電圧を有するゲート駆動信号が供給される。また、そのドレイン端子は、液晶と接するようにＴＦＴ基板に設けられた画素電極と接続される。さらに対向基板には、液晶と接するように対向電極が設けられており、この対向電極には後述する所定の対向電極電圧が印加されている。
【００３４】
第１の対向電極電圧発生部６は、表示態様が透過モードであるときに上記ＴＦＴの寄生容量による電圧降下の影響を最小限に抑えることができる電圧を対向電極電圧として第１の対向電極電圧Ｖａを生成し出力する。また、第２の対向電極電圧発生部７は、表示態様が反射モードであるときに上記ＴＦＴの寄生容量による電圧降下の影響を最小限に抑えることができる電圧を対向電極電圧として第２の対向電極電圧Ｖｂを生成し出力する。例えば、これら第１の対向電極電圧発生部６および第２の対向電極電圧発生部７は、所定の可変抵抗器を含む抵抗分圧回路であって、基準となる所定の電圧を分圧することにより、第１の対向電極電圧Ｖａおよび第２の対向電極電圧Ｖｂをを出力する。なお、これら第１の対向電極電圧Ｖａおよび第２の対向電極電圧Ｖｂは、所定の測定結果（または計算結果）に基づき最適な値に予め設定されるものとする。
【００３５】
バックライトＯＮ／ＯＦＦ検知部３は、バックライトを駆動するための図示されないバックライト駆動回路に与えられる信号であってバックライトをオンまたはオフするための制御信号を受け取り、この制御信号に基づきバックライトが点灯状態か非点灯状態かを検出して、その検出結果を対向電極電圧選択部４に与える。
【００３６】
対向電極電圧選択部４は、バックライトＯＮ／ＯＦＦ検知部３から受け取った検出結果に基づき、バックライトが点灯状態であるときには透過モードであると判定し、非点灯状態であるときには反射モードであると判定する。そして、透過モードであると判定した場合には第１の対向電極電圧発生部６により生成された第１の対向電極電圧Ｖａを選択し対向電極電圧として液晶パネル駆動部５に与え、反射モードであると判定した場合には第２の対向電極電圧発生部７により生成された第２の対向電極電圧Ｖｂを選択し対向電極電圧として液晶パネル駆動部５に与える。このように、バックライトＯＮ／ＯＦＦ検知部３および対向電極電圧選択部４は、液晶パネル駆動部５に与えられるべき対向電極電圧を選択する選択手段として機能する。
【００３７】
液晶パネル駆動部５は、対向電極に接続される対向電極駆動回路を含んでおり、上記対向電極電圧選択部４から受け取った対向電極電圧に基づき、上記対向電極を駆動する。前述のように、この対向電極電圧は、現在行われている表示態様でＴＦＴの寄生容量による電圧降下の影響を最小限に抑える電圧に設定される。そのため、いずれの表示態様においてもフリッカ等が最も抑えられる。
【００３８】
また、液晶パネル駆動部５は、ゲートバスラインに接続されるゲートドライバとソースバスラインに接続されるソースドライバとを含む。ゲートドライバは、ゲートバスラインに所定のゲート電圧を印加することにより、ゲートバスラインに接続されるＴＦＴをＯＮしまたはＯＦＦするように制御する。また、ソースドライバは、ＯＮされている選択状態のＴＦＴに所定のソース電圧を印加することにより、ドレイン端子に接続される画素電極と対向電極との電圧差に応じた液晶による表示を実現する。すなわち、透過表示の場合には、上記液晶を通ってその表示面から放たれるバックライトからの照明光の透過量が上記液晶により制御され、反射表示の場合には、外部からの入射光およびその反射光の透過量が上記液晶により制御される。
【００３９】
＜２．効果＞
以上のように、本液晶表示装置では、バックライトＯＮ／ＯＦＦ検知部３により検出されたバックライトの点灯状態に基づいて対向電極電圧選択部４により選択された適切な値を有する対向電極電圧が液晶パネル駆動部５に与えられる。このことにより、簡単な構成で、反射モードおよび透過モードの２つの表示態様においてともにフリッカや画面の縞模様などの発生を最小限に抑えることができる。
【００４０】
＜３．変形例＞
上記一実施形態では、バックライトＯＮ／ＯＦＦ検知部３は、上記バックライト駆動回路に与えられる制御信号に基づき点灯状態か非点灯状態かを検出するが、バックライトが点灯状態か非点灯状態かを検出することができれば、バックライト駆動回路に与えられる制御信号を受け取る必要はなく、例えばバックライトをオンまたはオフするための利用者による所定のスイッチの操作に基づく操作信号を受け取る構成などであってもよい。
【００４１】
上記一実施形態では、２つの表示態様（およびバックライトの点灯および消灯）は、図示されないスイッチを利用者が操作することにより切り替えられるものとしたが、利用者の特別な操作を要することなく自動的に切り替えられる構成であってもよい。例えば、利用者が装置を起動したときから所定の期間だけ自動的にバックライトが点灯するなど利用者が特別な操作をしない場合にも、バックライトＯＮ／ＯＦＦ検知部３から受け取った検出結果に基づき、バックライトが点灯状態であるときには透過モードに切り替えられ、非点灯状態であるときには反射モードに切り替えられる。この動作は、液晶パネル駆動部５に含まれる表示態様切り替え部によりなされるものとする。なお、この表示態様切り替え部は、装置の各種動作を制御するための図示されない制御部に含まれていてもよい。また、対向電極電圧選択部４は、バックライトＯＮ／ＯＦＦ検知部３から受け取った検出結果に基づき、バックライトが点灯状態であるときには透過モードであると判定し、非点灯状態であるときには反射モードであると判定する。このことにより、簡単な構成で、（透過モードまたは反射モードのいずれかの）表示態様に自動的に切り替えられるとともに、フリッカや画面の縞模様などの発生を最小限に抑えることができる。
【００４２】
また、本液晶表示装置１は、このバックライトＯＮ／ＯＦＦ検知部３に代えて、外光の照度を検出する外光照度検出部を備えてもよい。図３は、この外光照度検出部を備える液晶表示装置の構成を示すブロック図である。図３に示す外光照度検出部１３は、液晶表示装置の表示面を照らす（液晶パネルの輝度とは無関係の）外光の照度を検出するための受光素子を含む。ここでは、この外光照度検出部１３の検出結果を使用することにより、透過モードおよび反射モードの２つの表示態様の切り替えは、利用者のスイッチ操作等によることなく自動的に行われるものとする。すなわち、外光照度検出部１３により検出された外光照度に基づいて、液晶パネル駆動部５に含まれる表示態様切り替え部により、当該外光照度が所定値以上である場合には表示態様が反射モードに切り替えられ（また同時にバックライトが消灯され）、当該外光照度が所定値未満である場合には表示態様が透過モードに切り替えられる（また同時にバックライトが点灯される）ものとする。なお、表示態様切り替え部は、上述の図示されない制御部に含まれていてもよい。
【００４３】
対向電極電圧選択部４は、この外光照度検出部１３により検出された外光照度に基づき、当該外光照度が所定値未満である場合には透過モードであると判定し、第１の対向電極電圧発生部６により生成された第１の対向電極電圧Ｖａを選択して対向電極電圧として液晶パネル駆動部５に与える。また、当該外光照度が所定値以上である場合には反射モードであると判定し、第２の対向電極電圧発生部７により生成された第２の対向電極電圧Ｖｂを選択して対向電極電圧として液晶パネル駆動部５に与える。
【００４４】
このことにより、簡単な構成で、反射モードおよび透過モードの２つの表示態様のうち現在の（透過表示または反射表示のいずれかの）表示状態に適した（透過モードまたは反射モードのいずれかの）表示態様に自動的に切り替わるとともに、フリッカや画面の縞模様などの発生を最小限に抑えることができる。
【００４５】
なお、バックライトの点灯状態と非点灯状態との切り替えは、使用される表示態様とは無関係に、例えば利用者の操作に基づき決定されてもよいが、当該バックライトの点灯の必要性は外光照度と強い相関関係があるため、外光照度に基づき決定されるのが好適である。
【００４６】
さらに、本液晶表示装置１は、バックライトＯＮ／ＯＦＦ検知部３に代えて、装置外部からの所定の対向電極電圧切替え信号を受け取る切替え信号受信部を備えてもよい。図４は、この切替え信号受信部を備える液晶表示装置の構成を示すブロック図である。図４に示す切り替え信号受信部２３は、各種表示のために本液晶表示装置を使用するノート型パーソナルコンピュータや携帯情報機器端末などの外部装置から出力される所定の対向電極電圧切替え信号Ｓｓを外部入力端子等を介して受け取る。対向電極電圧選択部４は、この切り替え信号受信部２３により受け取られた対向電極電圧切り替え信号Ｓｓに基づき、第１の対向電極電圧発生部６により生成された第１の対向電極電圧Ｖａまたは第２の対向電極電圧発生部７により生成された第２の対向電極電圧Ｖｂのいずれかを選択し、対向電極電圧として液晶パネル駆動部５に与える。また、ここでは切り替え信号受信部２３により受け取られた制御信号に応じて、液晶パネル駆動部５に含まれる表示態様切り替え部により、透過モードおよび反射モードの２つの表示態様の切り替え（およびバックライトの点灯または消灯）が自動的に行われるものとする。
【００４７】
このことにより、簡単な構成で、反射モードおよび透過モードの２つの表示態様が装置外部からの制御信号に応じて自動的に適宜に切り替わるとともに、フリッカや画面の縞模様などの発生を最小限に抑えることができる。
【００４８】
なお、バックライトの点灯状態と非点灯状態との切り替えは、使用される表示態様とは無関係に、例えば利用者の操作に基づき決定されてもよいが、使用される表示態様に応じて決定されるのが好適である。
【００４９】
上記一実施形態では、透過モードおよび反射モードの２つの表示態様（表示方法）を有する液晶表示装置について説明したが、その表示態様はこれらに限定されるわけではない。例えば高輝度モードおよび低輝度モード、低消費電力モード（低周波数駆動モード）および高品位モード（高周波数駆動モード）、または３Ｄ液晶モードおよびノーマルモードなどの２つの表示態様を有する液晶表示装置であってもよい。なお、３Ｄ液晶モードとは、３次元表示のための駆動モードであって、例えば利用者の左右の目に異なる光が届くように、バックライトと液晶パネルとの間に設けられる所定のスイッチ液晶で光学視差バリアを形成する駆動モードをいい、ノーマルモードとはこの光学視差バリアを形成しない駆動モードをいう。
【００５０】
さらに３つの表示態様、例えば透過モード、反射モード、および中間モードを有する液晶表示装置であってもよい。ここで、中間モードとは、透過表示と反射表示との間の中間的な（両立する）表示状態に対応する駆動モードをいう。この場合には所定の第３の対向電極電圧Ｖｃを生成し出力する第３の対向電極電圧発生部がさらに設けられ、対向電極電圧選択部４は、第１の対向電極電圧Ｖａ、第２の対向電極電圧Ｖｂ、および第３の対向電極電圧Ｖｃのうちのいずれか１つを選択し出力する。
【００５１】
さらにまた、その他４つ以上の表示態様を有する液晶表示装置であってもよい。この場合にも表示態様に対応する数の対向電極電圧発生部がさらに設けられ、対向電極電圧選択部４は、複数の対向電極電圧発生部により生成される対向電極電圧のうちのいずれか１つを選択し出力する。また、表示態様が連続的に変化する液晶表示装置であってもよい。この場合には連続する表示状態に対応して連続的に変化する対向電極電圧が生成され、この対向電極電圧が液晶パネル駆動部５に与えられる。
【図面の簡単な説明】
【００５２】
【図１】本発明の一実施形態に係る液晶表示装置の構成を示すブロック図である。
【図２】上記一実施形態に係る液晶表示装置の分解斜視図である。
【図３】上記一実施形態の変形例における外光照度検出部を備える液晶表示装置の構成を示すブロック図である。
【図４】上記一実施形態の変形例における切替え信号受信部を備える液晶表示装置の構成を示すブロック図である。
【符号の説明】
【００５３】
１  …液晶表示装置
２  …液晶パネル
３  …バックライトＯＮ／ＯＦＦ検知部
４  …対向電極電圧選択部
５  …液晶パネル駆動部
６  …第１の対向電極電圧発生部
７  …第２の対向電極電圧発生部
１３  …外光照度検出部
２３  …切り替え信号受信部
Ｓｓ  …対向電極電圧切替え信号
【図１】
2005164704.tif 000003
【図２】
2005164704.tif 000004
【図３】
2005164704.tif 000005
【図４】
2005164704.tif 000006